(57)【要約】  【課題】玩具の興趣性を向上することが可能な玩具用ぜんまいユニットを提供する。  【解決手段】ぜんまいばね15により回転駆動する回転軸17で偏心錘13を偏心回転させる。回転軸17の回転により発電する発電部14の発電により発光ダイオード43を発光させる。偏心錘13の偏心回転による玩具用ぜんまいユニット３の振動での玩具の移動による興趣と発光ダイオード43の発光による興趣をそれぞれ得ることができ、玩具の興趣性を向上できる。  【選択図】図１
2005296388.tif 000002
【特許請求の範囲】
【請求項１】
ぜんまいばね、および、このぜんまいばねにより回転駆動され駆動体を回転させる回転軸を備えた駆動部と、
前記回転軸の回転により発電する発電部と、
この発電部の発電により作動する作動素子と
を具備したことを特徴とした玩具用ぜんまいユニット。
【請求項２】
発電部は、
回転軸に設けられた磁石部と、
この磁石部の外側部に少なくとも一部が対向して配設されたコイルとを備え、
前記磁石部は、前記回転軸の回転方向に沿って交互に異極となるように偶数個の磁極が外側部に配設されている
ことを特徴とした請求項１記載の玩具用ぜんまいユニット。
【請求項３】
回転軸の回転により偏心回転する駆動体としての偏心錘を具備した
ことを特徴とした請求項１または２記載の玩具用ぜんまいユニット。
【請求項４】
作動素子は、発光素子である
ことを特徴とした請求項１ないし３いずれか一記載の玩具用ぜんまいユニット。
【発明の詳細な説明】
【技術分野】
【０００１】
本発明は、ぜんまいばねにより回転される回転軸を備えた玩具用ぜんまいユニットに関する。
【背景技術】
【０００２】
従来、この種の玩具用ぜんまいユニットは、渦巻状のぜんまいばねを収容し玩具本体に設けられる本体ケースを備えている。この本体ケースには、ぜんまいばねの中心側の端部に連結された回転軸が設けられている。この回転軸は、一方向への回転によりぜんまいばねを巻き締めるとともに、このぜんまいばねが弾性力により巻き戻る際に他方向へと回転駆動される。また、この回転軸には、クラッチ機構を介して偏心錘が偏心して設けられている。そして、巻き締められたぜんまいばねが弾性力により巻き戻ることで、回転軸が回転されて偏心錘が偏心回転して本体ケースを振動させ、玩具を振動させる（例えば、特許文献１参照。）。
【０００３】
また、回転軸に車輪を取り付け、巻き締められたぜんまいばねの弾性力による巻き戻りで玩具を走行させる構成も知られている（例えば、特許文献２参照。）。
【特許文献１】特開平１１−２０７０４３号公報（第３−７頁、図１）
【特許文献２】特開２００１−２５９２４６号公報（第２−３頁、図８）
【発明の開示】
【発明が解決しようとする課題】
【０００４】
しかしながら、上述の特許文献１に記載された玩具用ぜんまいユニットでは、ぜんまいばねの弾性力により玩具が振動するだけであり、上述の特許文献２に記載された玩具用ぜんまいユニットでは、ぜんまいばねの弾性力により玩具が走行するだけであるため、それぞれ興趣性が充分であるとはいえないという問題点を有している。
【０００５】
本発明は、このような点に鑑みなされたもので、玩具の興趣性を向上することが可能な玩具用ぜんまいユニットを提供することを目的とする。
【課題を解決するための手段】
【０００６】
請求項１記載の玩具用ぜんまいユニットは、ぜんまいばね、および、このぜんまいばねにより回転駆動され駆動体を回転させる回転軸を備えた駆動部と、前記回転軸の回転により発電する発電部と、この発電部の発電により作動する作動素子とを具備したものである。
【０００７】
そして、ぜんまいばねにより回転駆動され駆動体を回転させる回転軸の回転により発電する発電部の発電により作動する作動素子を備えることで、回転軸による駆動体の回転での興趣および作動素子の作動による興趣をそれぞれ得ることが可能となり、玩具の興趣性を向上することが可能になる。
【０００８】
請求項２記載の玩具用ぜんまいユニットは、請求項１記載の玩具用ぜんまいユニットにおいて、発電部が、回転軸に設けられた磁石部と、この磁石部の外側部に少なくとも一部が対向して配設されたコイルとを備え、前記磁石部が、前記回転軸の回転方向に沿って交互に異極となるように偶数個の磁極が外側部に配設されているものである。
【０００９】
そして、回転軸に設けられた磁石部に、回転軸の回転方向に沿って交互に異極となるように偶数個の磁極を外側部に配設し、この磁石部の外側部にコイルの少なくとも一部を対向させて配設することで、発電部を比較的簡単な構成にでき、製造コストを抑制できるとともに、小型化が可能になる。
【００１０】
請求項３記載の玩具用ぜんまいユニットは、請求項１または２記載の玩具用ぜんまいユニットにおいて、回転軸の回転により偏心回転する駆動体としての偏心錘を具備したものである。
【００１１】
そして、回転軸の回転により駆動体としての偏心錘が偏心回転することで、振動を生じることが可能になり、この振動による興趣を得ることが可能となるので、玩具の興趣性をより向上することが可能になる。
【００１２】
請求項４記載の玩具用ぜんまいユニットは、請求項１ないし３いずれか一記載の玩具用ぜんまいユニットにおいて、作動素子が、発光素子であるものである。
【００１３】
そして、作動素子を発光素子とすることで、発電部の発電による発光素子の発光での興趣を得ることが可能となり、興趣性がより向上する。
【発明の効果】
【００１４】
請求項１記載の発明によれば、ぜんまいばねにより回転駆動され駆動体を回転させる回転軸の回転により発電する発電部の発電により発光する発光素子を備えることで、回転軸による駆動体の回転での興趣および作動素子の作動による興趣をそれぞれ得ることが可能となり、玩具の興趣性を向上できる。
【００１５】
請求項２記載の発明によれば、回転軸に設けられた磁石部に、回転軸の回転方向に沿って交互に異極となるように偶数個の磁極を外側部に配設し、この磁石部の外側部にコイルの少なくとも一部を対向させて配設することで、発電部を比較的簡単な構成にでき、製造コストを抑制できるとともに、小型化できる。
【００１６】
請求項３記載の発明によれば、回転軸の回転により駆動体としての偏心錘が偏心回転することで、振動を生じることが可能になり、この振動による興趣を得ることが可能となるので、玩具の興趣性をより向上できる。
【００１７】
請求項４記載の発明によれば、作動素子を発光素子とすることで、発電部の発電による発光素子の発光での興趣を得ることができ、興趣性をより向上できる。
【発明を実施するための最良の形態】
【００１８】
以下、本発明の第１の実施の形態の玩具用ぜんまいユニットの構成を図１ないし図３を参照して説明する。
【００１９】
図３において、１は玩具を示し、この玩具１は、玩具本体としてのぬいぐるみ玩具本体２と、このぬいぐるみ玩具本体２内に設けられた玩具用ぜんまいユニット３とを備えている。
【００２０】
ぬいぐるみ玩具本体２は、クッション材などで例えば動物などを模して形成されている。
【００２１】
玩具用ぜんまいユニット３は、図１および図２に示すように、例えば合成樹脂などで成形された本体ケース11を備えている。この本体ケース11には、駆動部としてのぜんまいユニット部12と、駆動体としての偏心錘13と、発電部14とが収容されている。
【００２２】
ぜんまいユニット部12は、内部にぜんまいばね15を収容したユニットケース16を備えている。
【００２３】
ぜんまいばね15は、弾力性を有する板ばね状の金属などの部材を平面視で渦巻状に巻回して形成されている。このぜんまいばね15の中心側の端部は、図示しないギヤなどを介して回転軸17に連結され、このぜんまいばね15の外側の端部はユニットケース16に固定されている。
【００２４】
回転軸17は、ユニットケース16に回転可能に設けられた引紐用リール18に図示しないギヤなどを介して連結されている。また、この回転軸17は、一端部がユニットケース16の一側部を貫通し、このユニットケース16の一側方に突出している。この回転軸17の一端部は、発電部14に接続されている。さらに、回転軸17の他端部には、図示しないクラッチ機構を介して従回転軸19に接続されている。このクラッチ機構は、回転軸17の正方向回転の際にのみ回転軸17の回転を従回転軸19に伝達するものである。
【００２５】
引紐用リール18は、ユニットケース16の側部に回転可能に設けられ、引紐21が外周に巻回されている。この引紐21は、本体ケース11に設けられた導出孔22から外部に導出されるとともに、ぬいぐるみ玩具本体２の外部に導出され、この導出された端部に操作部23が設けられている。この操作部23により、引紐21はぬいぐるみ玩具本体２の外部から引っ張り操作可能となっている。
【００２６】
従回転軸19は、一端部がユニットケース16の他側部を貫通し、このユニットケース16の他側方に突出している。この従回転軸19の一端部には、偏心錘13が設けられている。
【００２７】
偏心錘13は、従回転軸19に対して偏心して設けられ、回転軸17の正方向回転により回転する従回転軸19により偏心回転して玩具用ぜんまいユニット３全体を振動させるものである。
【００２８】
発電部14は、回転軸17の一端部に設けられた円柱状の磁石部25と、この磁石部25の外周部に対向するコイル26とを有している。
【００２９】
磁石部25は、回転軸17と同軸状に設けられた円柱状の磁石部本体31と、この磁石部本体31に偶数個、例えば２つ設けられた磁石体32，33とを有している。
【００３０】
磁石部本体31は、中心軸に回転軸17が挿通されている。また、この磁石部本体31の外周部は、コイル26に所定の間隙を介して対向している。さらに、この磁石部本体31には、磁石体32，33が嵌合される四角形状の嵌合凹部34，35がそれぞれ切り欠き形成されている。これら嵌合凹部34，35は、それぞれ磁石部本体31の中心軸について対称な位置に設けられ、磁石部本体31の中心軸の近傍から外周部に亘って磁石部本体31の径方向に沿って切り欠き形成されている。
【００３１】
磁石体32，33は、嵌合凹部34，35に嵌合されている。このため、これら磁石体32，33は、それぞれ磁石部本体31の周方向に互いに略等間隔に離間されている。また、磁石体32は、例えば磁石部本体31の中心側にＳ極、外周側にＮ極を有して配設され、磁石体33は、磁石体32とは逆に、磁石部本体31の中心側にＮ極、外周側にＳ極を有して配設されている。すなわち、磁石部25には、この磁石部25の周方向に沿って交互に異極となるように磁極が外周部に形成されている。
【００３２】
そして、磁石部25は、回転軸17の回転により回転され、コイル26に対して磁石体32，33が交互に対向することで、コイル26に発電させるものである。
【００３３】
コイル26は、鉄心すなわちコア41の周囲に導線42を巻回して形成されている。この導線42には、作動素子としての発光素子である発光ダイオード43が電気的および機械的に接続されている。
【００３４】
発光ダイオード43は、本体ケース11の外部に導出され、例えばぬいぐるみ玩具本体２の目部などの裏側に設けられている。そして、この発光ダイオード43は、コイル26の発電により供給される電力で発光するものである。
【００３５】
次に、上記第１の実施の形態の動作を説明する。
【００３６】
遊戯者が操作部23を把持し、ぬいぐるみ玩具本体２を固定して引紐21を引っ張り操作することにより引紐用リール18が回転し、この引紐用リール18の回転により回転軸17が逆方向に回転され、ぜんまいばね15が巻き締められる。
【００３７】
このとき、クラッチ機構により、回転軸17の回転が従回転軸19に伝達されず、偏心錘13は回転しない。
【００３８】
そして、遊戯者が引紐21の引っ張り操作を解除すると、巻き締められたぜんまいばね15が弾性力により巻き戻され、回転軸17が正方向に回転する。
【００３９】
このとき、クラッチ機構により、回転軸17の回転が従回転軸19に伝達されることで、偏心錘13が回転し、玩具用ぜんまいユニット３全体を振動させることで、ぬいぐるみ玩具本体２が振動しながら玩具１が移動する。
【００４０】
同時に、磁石部25が回転することにより、磁石体32，33が交互にコイル26に対向し、電磁誘導によりコイル26に電力が発生して発光ダイオード43が発光し、ぬいぐるみ玩具本体２の目部などが点灯する。
【００４１】
また、引紐用リール18も回転することで、引紐21がこの引紐用リール18に引き込まれて巻回される。
【００４２】
そして、ぜんまいばね15が最初の状態に復元すると、玩具用ぜんまいユニット３の振動が停止して玩具１の移動が停止するとともに、発光ダイオード43の発光が消滅する。
【００４３】
上述したように、上記第１の実施の形態では、ぜんまいばね15により回転駆動され駆動体を回転させる回転軸17の回転により発電する発電部14の発電により作動する作動素子を設ける構成とした。
【００４４】
より具体的には、偏心錘13を偏心回転させる回転軸17の回転により発電部14が発電して発光ダイオード43が発光する構成とした。
【００４５】
この結果、駆動体の回転による興趣と作動素子の作動による興趣、すなわち、回転軸17の回転に伴う偏心錘13の偏心回転による玩具用ぜんまいユニット３の振動での玩具１の移動による興趣、および、発光ダイオード43の発光による興趣をそれぞれ得ることが可能となり、玩具１の興趣性を向上できる。
【００４６】
また、回転軸17に設けられた円柱状の磁石部25の磁石部本体31の外周部に、周方向に沿って交互に異極となるように偶数個の磁石体32，33を配設し、この磁石部25の外周部に対向してコイル26を配設することで、発電部14を比較的簡単な構成にでき、製造コストなどを抑制できるとともに、玩具用ぜんまいユニット３を小型化でき、玩具１の小型化にも対応できる。
【００４７】
さらに、作動素子を発光ダイオード43とすることで、例えば電球などを用いる場合などと比較して、使用寿命を長くできる。
【００４８】
なお、上記第１の実施の形態において、玩具本体は、ぬいぐるみ玩具本体２以外にも、例えば合成樹脂などで成形されたキャラクタなど、他の様々なものとすることが可能である。
【００４９】
また、磁石部25は、磁石部本体31の周方向に沿って磁石体32，33を配設する構成、磁石体32，33を４個以上の偶数個設ける構成なども可能である。
【００５０】
次に、第２の実施の形態を図４ないし図６を参照して説明する。なお、上記一実施の形態と同様の構成および作用効果については、同一符号を付してその説明を省略する。
【００５１】
図４において、51は玩具を示し、この玩具51は、玩具本体52と、この玩具本体52内に設けられた玩具用ぜんまいユニット53とを備えている。
【００５２】
玩具本体52は、合成樹脂などの部材で例えば車などの走行装置を模して形成されている。
【００５３】
玩具用ぜんまいユニット53は、図４および図５に示すように、本体ケース11内に、ぜんまいユニット部12および発電部14が設けられるとともに、回転軸17の両端部が本体ケース11を貫通してこの本体ケース11の両側方に位置している。そして、この回転軸17の両端部には、駆動体としての走行体であるタイヤ部55がそれぞれ同軸状に設けられている。
【００５４】
発電部14の磁石部25の磁石部本体31は、図６に示すように、中心部に車軸となる回転軸17が挿通された円筒状に形成され、かつ周方向に偶数個、例えば１０個の磁極が、Ｎ極とＳ極とがそれぞれ交互となるように多極着磁されている。
【００５５】
また、発電部14のコイル26は、図５に示すように、コア41の軸方向の一端部に電気的に接続された第１の受磁部56と、コア41の軸方向の他端部に電気的に接続された第２の受磁部57とを有している。そして、このコイル26は、例えば磁石部本体31の径方向である前後方向に軸方向を有するように配置されている。
【００５６】
また、第１の受磁部56は、コイル26の一端部側から他端部側に屈曲され、磁石部本体31の一側方に延設され、コイル26の他端部側に突出している。さらに、この第１の受磁部56には、複数の第１の受磁端子56aが磁石部本体31の外周面に対向するように、回転軸17の軸方向に沿って複数、例えば２つ、それぞれ突設されている。
【００５７】
さらに、第２の受磁部57は、コイル26の他端部側から、磁石部本体31の他側方に延設され、複数、例えば３つの第２の受磁端子57aが、磁石部本体31の外周面に対向するように、回転軸17の軸方向に沿ってそれぞれ突設されている。
【００５８】
そして、各受磁端子56aと各受磁端子57aとは、図６に示すように、磁石部本体31の上方でこの磁石部本体31の軸方向に互い違いとなるように配置され、磁石部本体31の各磁極に対応した間隔にそれぞれ略均等に離間されている。また、これら各受磁端子56a，57aは、回転軸17を中心とした同心円上にそれぞれ配置されている。
【００５９】
タイヤ部55は、例えば玩具51の後輪となるもので、例えばゴムなどの、弾性を有するとともに表面の摩擦係数が比較的大きい部材で外周面が形成され、玩具本体52の外部に露出して被走行面と接触している。
【００６０】
また、玩具本体52の両側部には、図４に示すように、前側タイヤ部58が一体的に回転自在となるようにそれぞれ設けられている。これら前側タイヤ部58は、タイヤ部55の前方に、これらタイヤ部55と略平行に設けられている。
【００６１】
そして、これら各タイヤ部55，58により、玩具51の重量をバランスよく支持するとともに、玩具51が走行面上を走行可能となっている。
【００６２】
さらに、発光ダイオード43は、例えば玩具本体52のライト部などの裏側に位置している。
【００６３】
そして、遊戯者が玩具本体52を走行面に押さえつけた状態で玩具51を後方に引く、すなわちプルバックすると、タイヤ部55が走行面との摩擦力により逆方向に回転し、回転軸17が逆方向に回転することでぜんまいばね15が巻き締められる。
【００６４】
この状態で、遊戯者が玩具本体52の押さえつけを解除すると、ぜんまいばね15が弾性力により巻き戻され、回転軸17が正方向に回転する。
【００６５】
このとき、タイヤ部55も正方向に回転し、各タイヤ部55，58が走行面と接触しながら摩擦力で回転することで、玩具51が前方向に走行する。
【００６６】
同時に、磁石部25が回転することにより、磁石部本体31の各磁極が、コイル26の第１の受磁部56の各受磁端子56a、および、第２の受磁部57の各受磁端子57aにそれぞれ交互に対向し、電磁誘導によりコイル26に電力が発生して発光ダイオード43が発光し、玩具本体２のライト部などが点灯する。
【００６７】
そして、ぜんまいばね15が最初の状態に復元した状態では、慣性により玩具51が暫時走行した後、各タイヤ部55，58と走行面との摩擦力により自然停止するとともに、発光ダイオード43の発光が消滅する。
【００６８】
このように、上記第２の実施の形態では、タイヤ部55を回転させる回転軸17の回転により発電部14が発電して発光ダイオード43が発光することで、回転軸17の回転に伴うタイヤ部55の回転での玩具51の走行による興趣、および、発光ダイオード43の発光による興趣をそれぞれ得ることが可能となり、玩具51の興趣性を向上できる。
【００６９】
また、磁石部25の磁石部本体31を例えば１０個などの磁極を形成するように多極着磁することで、例えば磁石部本体31に２つの磁極を設ける上記第１の実施の形態の場合などと比較して、磁石部本体31の各磁極による磁場の変化の速度を向上できるとともに、コア41の両端部からそれぞれ突出させた各受磁部56，57に、磁石部本体31の外周面に対向するように複数の各受磁端子56a，57aを突設することで、コイル26を貫通する磁束密度を向上でき、磁場の変化速度と磁束密度の大きさとの影響を受け易い発電部14での発電力を安定させることができる。
【００７０】
さらに、タイヤ部55を回転軸17の両端部に設けることにより、玩具51のプルバックによりぜんまいばね15を容易に巻き締めることができるとともに、タイヤ部55の正逆両方向の回転をそれぞれぜんまいばね15に対して空回りさせる必要がないので、ぜんまいユニット部12の構成を簡略化できる。
【００７１】
なお、上記第２の実施の形態において、玩具本体52としては、例えば電車、戦車、あるいは二輪車など、走行性を有する他の様々なものを模したものとすることが可能である。
【００７２】
また、第１の受磁部56の各受磁端子56aおよび第２の受磁部57の各受磁端子57aを、磁石部本体31の磁極数に応じてそれぞれ配置する構成も可能である。例えば、本実施の形態では、磁石部本体31の磁極が１０個設けられているため、各受磁端子56a，57aを交互に５つずつ配置するようにすることで、コイル26を貫通する磁束密度をより向上でき、発電部14での発電を、より安定させることができる。
【００７３】
さらに、上記各実施の形態において、駆動体としては、偏心錘13、あるいはタイヤ部55に限らず、他の様々なものを用いる構成が可能である。
【００７４】
そして、上記第１の実施の形態の磁石部25の構成を第２の実施の形態に適用したり、第２の実施の形態の磁石部25の構成を第１の実施の形態に適用したりすることも可能である。
【００７５】
また、作動素子としては、例えば音楽用ＩＣなどの音を発生する素子など、他の様々な素子を用いることも可能である。
【図面の簡単な説明】
【００７６】
【図１】本発明の第１の実施の形態の玩具用ぜんまいユニットを示す平面図である。
【図２】同上玩具用ぜんまいユニットを示す側面図である。
【図３】同上玩具用ぜんまいユニットを備えた玩具を示す斜視図である。
【図４】本発明の第２の実施の形態の玩具用ぜんまいユニットを示す平面図である。
【図５】同上玩具用ぜんまいユニットを示す側面図である。
【図６】同上玩具用ぜんまいユニットを備えた玩具を示す斜視図である。
【符号の説明】
【００７７】
３，53    玩具用ぜんまいユニット
12    駆動部としてのぜんまいユニット部
13    駆動体としての偏心錘
14    発電部
15    ぜんまいばね
17    回転軸
25    磁石部
26    コイル
43    作動素子としての発光素子である発光ダイオード
55    駆動体としてのタイヤ部
【図１】
2005296388.tif 000003
【図２】
2005296388.tif 000004
【図３】
2005296388.tif 000005
【図４】
2005296388.tif 000006
【図５】
2005296388.tif 000007
【図６】
2005296388.tif 000008